(57)【特許請求の範囲】
【請求項１】
組み立て可能に構成された組立式椅子であって、
前脚と、後脚と、該前脚および該後脚を接続する肘掛と、を有する逆Ｕ字状の一対の脚部と、
該一対の脚部の前記前脚同士を連結するよう構成された長尺板状の第１連結梁部と、
前記一対の脚部の前記後脚同士を連結するよう構成された長尺板状の第２連結梁部と、
前記一対の脚部または前記第１および第２連結梁部上に載置され該一対の脚部または該第１および第２連結梁部に固定されるよう構成された座部と、該座部に一体に成形された背凭れ部と、を有する本体部と、
を備え、
前記前脚および前記後脚は、前記肘掛から遠ざかるほど互いの間隔が広がるような傾斜角を有しており、
前記第１および第２連結梁部は、長手方向に延在する一対の主面を有し、該一対の主面が前記傾斜角に沿うよう前記前脚および前記後脚に接続されており、
前記第１または第２連結梁部の一対の主面には、該一対の主面を第１方向に貫通する凹部が形成されており、
前記座部の裏面には、係合金具および締結金具が取り付けられており、
前記係合金具は、上面部と、該上面部に平行な下面部と、前記上面部および前記下面部との交差角が鋭角となるよう前記上面部および前記下面部を接続する接続部と、を有しており、
前記締結金具は、上面部と、該上面部に鈍角をもって交差するよう一体に接続された折曲部と、を有しており、
前記係合金具および前記締結金具は、前記係合金具の上面部および前記締結金具の上面部を前記座部の裏面に当接させた状態で該座部の裏面に取り付けられ、該座部の裏面に取り付けられたときに、前記接続部および前記折曲部によって側面視「ハ」の字が構成され、
前記接続部および前記折曲部は、前記第１連結梁部および前記第２連結梁部の長手方向の一方側から見たとき、前記座部の裏面に直交する仮想直線に対して前記傾斜角を有するよう構成されており、
前記座部を前記一対の脚部または前記第１及び第２連結梁部上に載置した状態で、前記座部を前記第１方向に移動させることによって、前記係合金具の前記下面部が前記凹部に係合されると共に、前記締結金具の折曲部が前記第２または第１連結梁部に当接されるよう構成されている
組立式椅子。
【請求項２】
前記締結金具の折曲部は、締結部材によって前記第２または第１連結梁部に締結されるよう構成されている
請求項１に記載の組立式椅子。
【請求項３】
組み立て可能に構成された組立式椅子であって、
板状の第１および第２脚部と、
該第１及び第２脚部を連結する長尺板状の一対の連結梁部と、
前記第１および第２脚部または前記一対の連結梁部上に載置され該第１および第２脚部または該一対の連結梁部に固定されるよう構成された座部と、該座部に一体に成形された背凭れ部と、を有する本体部と、
を備え、
前記第１および第２脚部は、一対の主面を有すると共に、前記座部から遠ざかるほど互いの間隔が広がるような傾斜角をもって前記一対の連結梁部によって連結されており、
前記第１または第２脚部の一対の主面には、該一対の主面を第１方向に貫通する凹部が形成されており、
前記座部の裏面には、係合金具および締結金具が取り付けられており、
前記係合金具は、上面部と、該上面部に平行な下面部と、前記上面部および前記下面部との交差角が鋭角となるよう前記上面部および前記下面部を接続する接続部と、を有しており、
前記締結金具は、上面部と、該上面部に鈍角をもって交差するよう一体に接続された折曲部と、を有しており、
前記係合金具および前記締結金具は、前記係合金具の上面部および前記締結金具の上面部を前記座部の裏面に当接させた状態で該座部の裏面に取り付けられ、該座部の裏面に取り付けられたときに、前記接続部および前記折曲部によって側面視「ハ」の字が構成され、
前記接続部および前記折曲部は、前記第１連結梁部および前記第２連結梁部の長手方向の一方側から見たとき、前記座部の裏面に直交する仮想直線に対して前記傾斜角を有するよう構成されており、
前記座部を前記第１及び第２脚部または前記一対の連結梁部上に載置した状態で、前記座部を前記第１方向に移動させることによって、前記係合金具の前記下面部が前記凹部に係合されると共に、前記締結金具の折曲部が前記第２または第１脚部に当接されるよう構成されている
組立式椅子。
【請求項４】
前記締結金具の折曲部は、締結部材によって前記第２または第１脚部に締結されるよう構成されている
請求項３に記載の組立式椅子。
【発明の詳細な説明】
【技術分野】
【０００１】
本発明は、組み立て可能に構成された組立式椅子に関する。
【背景技術】
【０００２】
特開２０１１−２３４９８９号公報（特許文献１）には、左右一対の脚部材と、当該左右一対の脚部材を連結する前後一対の連結部材と、左右一対の脚部材間に配置されるように連結部材上に固定される座部および当該座部に一体形成された背凭れ部を有する本体部材と、を備える組立式椅子が記載されている。当該組立式椅子は、連結ネジによって一対の脚部材を一対の連結部材に固定すると共に、ビスによって座部を一対の連結部材に固定するように構成されている。これにより、簡易に椅子を組み立てることができる。
【先行技術文献】
【特許文献】
【０００３】
【特許文献１】特開２０１１−２３４９８９号公報
【発明の概要】
【発明が解決しようとする課題】
【０００４】
しかしながら、上述した公報に記載の組立式椅子では、ユーザは椅子を組み立てる際に、各部材間のネジ孔同士やビス孔同士を整合させる必要があり、組立て性という観点において、なお改良の余地がある。
【０００５】
本発明は、上記に鑑みてなされたものであり、組立式椅子において、組立て性の向上を図ることができる技術を提供することを目的とする。
【課題を解決するための手段】
【０００６】
本発明の組立式椅子は、上述の目的を達成するために以下の手段を採った。
【０００７】
本発明に係る組立式椅子の好ましい形態によれば、組み立て可能な組立式椅子が構成される。当該組立式椅子は、一対の脚部と、当該一対の脚部の前脚同士を連結するように構成された長尺板状の第１連結梁部と、一対の脚部の後脚同士を連結するように構成された長尺板状の第２連結梁部と、本体部と、を備えている。本体部は、座部と背凭れ部とを有している。座部は、一対の脚部または第１および第２連結梁部上に載置され当該一対の脚部または第１および第２連結梁部に固定されるように構成されている。背凭れ部は、座部に一体に成形されている。前脚および後脚は、肘掛から遠ざかるほど互いの間隔が広がるような傾斜角を有している。第１および第２連結梁部は、長手方向に延在する一対の主面を有し、当該一対の主面が傾斜角に沿うように前脚および後脚に接続されている。第１または第２連結梁部の一対の主面には、当該一対の主面を第１方向に貫通する凹部が形成されている。また、座部の裏面には、係合金具および締結金具が取り付けられている。係合金具は、上面部と、当該上面部に平行な下面部と、上面部および下面部との交差角が鋭角となるように上面部および下面部を接続する接続部と、を有している。さらに、締結金具は、上面部と、当該上面部に鈍角をもって交差するように一体に接続された折曲部と、を有している。係合金具および締結金具は、係合金具の上面部および締結金具の上面部を座部の裏面に当接させた状態で、当該座部の裏面に取り付けられ、当該座部の裏面に取り付けられたときに、接続部および折曲部によって側面視「ハ」の字が構成されている。また、接続部および折曲部は、第１連結梁部および第２連結梁部の長手方向の一方側から見たとき、座部の裏面に直交する仮想直線に対して傾斜角を有するように構成されている。そして、座部を一対の脚部または第１及び第２連結梁部上に載置した状態で、座部を第１方向に移動させることによって、係合金具の下面部が凹部に係合されると共に、締結金具の折曲部が第２または第１連結梁部に当接されるように構成されている。
【０００８】
ここで、本発明における「座部を一対の脚部または第１及び第２連結梁部上に載置した状態で、座部を第１方向に移動させる」とは、典型的には、座部を一対の脚部または第１及び第２連結梁部の上面に当接させた状態で第１方向に移動させる態様がこれに該当するが、座部を一対の脚部または第１及び第２連結梁部に当接させないが、当該一対の脚部または第１及び第２連結梁部の上方で座部を第１方向に移動させる態様を好適に包含する。
【０００９】
本発明によれば、座部を一対の脚部または第１及び第２連結梁部に組み付ける際に、係合金具の下面部が第１または第２連結梁部の一対の主面の凹部に係合される構成であるため、少なくとも第１方向に直交する方向における本体部の第１または第２連結梁部に対する位置決めを行うことができる。これにより、例えば、ネジやビスなどの締結部材によって座部を第１または第２連結梁部に固定する場合に、座部と第１または第２連結梁部とのネジ孔同士あるいはビス孔同士を容易に整合させることができるため、組立て性を向上することができる。また、係合金具の下面部が凹部に係合された際に、締結金具の折曲部が、凹部を有さない第２または第１連結梁部に当接されるため、座部を第１および第２連結梁部に組み付ける際に、座部の第１および第２連結梁部に対する第１方向における位置決めも行うことができる。これにより、組立て性をより向上することができる。さらに、締結金具の折曲部を第２または第１連結梁部に面接触させることができるため、座部の第２または第１連結梁部に対する第１方向における位置決め安定して行うことができる。
【００１０】
本発明に係る組立式椅子の更なる形態によれば、締結金具の折曲部は、締結部材によって第２または第１連結梁部に締結されるよう構成されている。ここで、本発明における「締結部材」とは、典型的には、ネジやビスがこれに該当する。
【００１１】
本形態によれば、座部を第２または第１連結梁部に固定するにあたり、ネジやビスなどの締結部材によって締結金具の折曲部を第２または第１連結梁部に締結するのみの構成であるため、座部を第２または第１連結梁部の両方にネジ締結する構成に比べてネジ締結作業を低減できる。これにより、組立て性をより一層向上することができる。
【００１２】
本発明に係る組立式椅子の好ましい形態によれば、組み立て可能な組立式椅子が構成される。当該組立式椅子は、板状の第１および第２脚部と、当該第１及び第２脚部を連結する長尺板状の一対の連結梁部と、本体部と、を備えている。本体部は、座部と背凭れ部とを有している。座部は、第１および第２脚部または一対の連結梁部上に載置され当該第１および第２脚部または当該一対の連結梁部に固定されるように構成されている。背凭れ部は、当該座部に一体に成形されている。第１および第２脚部は、一対の主面を有すると共に、座部から遠ざかるほど互いの間隔が広がるような傾斜角をもって一対の連結梁部によって連結されている。第１または第２脚部の一対の主面には、当該一対の主面を第１方向に貫通する凹部が形成されている。また、座部の裏面には、係合金具および締結金具が取り付けられている。さらに、係合金具は、上面部と、当該上面部に平行な下面部と、上面部および下面部との交差角が鋭角となるように上面部および下面部を接続する接続部と、を有している。また、締結金具は、上面部と、当該上面部に鈍角をもって交差するように一体に接続された折曲部と、を有している。係合金具および締結金具は、係合金具の上面部および締結金具の上面部を座部の裏面に当接させた状態で、当該座部の裏面に取り付けられ、当該座部の裏面に取り付けられたときに、接続部および折曲部によって側面視「ハ」の字が構成されている。また、接続部および折曲部は、第１連結梁部および第２連結梁部の長手方向の一方側から見たとき、座部の裏面に直交する仮想直線に対して傾斜角を有するように構成されている。そして、座部を第１及び第２脚部または一対の連結梁部上に載置した状態で、座部を第１方向に移動させることによって、係合金具の下面部が凹部に係合されると共に、締結金具の折曲部が第２または第１脚部に当接されるように構成されている。
【００１３】
本発明によれば、座部を一対の脚部または第１及び第２連結梁部に組み付ける際に、係合金具の下面部が第１または第２脚部の一対の主面の凹部に係合される構成であるため、少なくとも第１方向に直交する方向における本体部の第１または第２脚部に対する位置決めを行うことができる。これにより、例えば、ネジやビスなどの締結部材によって座部を第１または第２脚部に固定する場合に、座部と第１または第２脚部とのネジ孔同士あるいはビス孔同士を容易に整合させることができるため、組立て性を向上することができる。また、係合金具の下面部が凹部に係合された際に、締結金具の折曲部が、凹部を有さない第２または第１脚部に当接されるため、座部を第１または第２脚部に組み付ける際に、座部の第１または第２脚部に対する第１方向における位置決めも行うことができる。これにより、組立て性をより向上することができる。さらに、締結金具の折曲部を第２または第１脚部に面接触させることができるため、座部の第２または第１脚部に対する第１方向における位置決め安定して行うことができる。
【００１４】
本発明に係る組立式椅子の更なる形態によれば、締結金具の折曲部は、締結部材によって前記第２または第１脚部に締結されるように構成されている。ここで、本発明における「締結部材」とは、典型的には、ネジやビスがこれに該当する。
【００１５】
本形態によれば、座部を第２または第１脚部に固定するにあたり、ネジやビスなどの締結部材によって締結金具の折曲部を第２または第１脚部に締結するのみの構成であるため、座部を第２または第１脚部の両方にネジ締結する構成に比べてネジ締結作業を低減できる。これにより、組立て性を向上することができる。
【発明の効果】
【００２２】
本発明によれば、組立式椅子において、組立て性の向上を図ることができる。
【図面の簡単な説明】
【００２３】
【図１】本発明の実施の形態に係る組立式椅子１の構成の概略を示す斜視構成図である。
【図２】本発明の実施の形態に係る組立式椅子１を側面から見た側面図である。
【図３】本体部１０を側面から見た側面図である。
【図４】係合金具２２の構成の概略を示す説明図である。
【図５】締結金具２４の構成の概略を示す説明図である。
【図６】第１連結梁部４２の構成の概略を示す説明図である。
【図７】第２連結梁部４４の構成の概略を示す説明図である。
【図８】一対の脚部６２，６２を第１連結梁部４２および第２連結梁部４４によって連結した状態を示す説明図である。
【図９】本体部１０を組み付ける様子を示す説明図である。
【図１０】図１２のＡ−Ａ断面を示す断面図である。
【図１１】図１のＢ−Ｂ断面を示す断面図である。
【図１２】本体部１０を第２連結梁部４４に締結する様子を示す拡大図である。
【図１３】変形例の組立式椅子１００を組み付ける様子を示す説明図である。
【図１４】本体部１１０を第１連結梁部１４２に締結する様子を示す説明図である。
【図１５】変形例の組立式椅子２００の構成の概略を示す斜視構成図である。
【図１６】第１脚部２６２および第２脚部２６４を一対の連結梁部２４２，２４２によって連結した状態を示す説明図である。
【発明を実施するための形態】
【００２４】
次に、本発明を実施するための最良の形態を実施例を用いて説明する。
【実施例１】
【００２５】
本発明の実施例１の組立式椅子１は、図１および図２に示すように、本体部１０と、当該本体部１０を支持するように構成された一対の脚部６２，６２と、当該一対の脚部６２，６２を連結するように構成された第１および第２連結梁部４２，４４と、を備えており、これら各構成部品の少なくとも一部が分解された状態で梱包・出荷され、購入者によって組立てられるように構成されている。本実施の形態では、便宜上、図１中の紙面上方向に対応する方向を、「上側」ないし「上方」として規定し、図１中の紙面下方向に対応する方向を、「下側」ないし「下方」として規定する。また、図１中の紙面左方向に対応する方向を、「左側」ないし「左方」として規定し、図１中の紙面右方向に対応する方向を、「右側」ないし「右方」と規定する。さらに、図１中の紙面手前方向に対応する方向を、「前側」ないし「前方」と規定し、図１中の紙面奥方向に対応する方向を、「後側」ないし「後方」と規定する。
【００２６】
本体部１０は、合板により成形されており、図１ないし図３に示すように、座部１２と、当該座部１２に対して一体にほぼ垂直に折り曲げ成形された背凭れ部１４と、から構成されている。座部１２の裏面には、図３に示すように、係合金具２２および締結金具２４が取り付け固定されている。
【００２７】
係合金具２２は、図３および図４に示すように、鋼板などを曲げ加工することによって長手方向（図４の上下方向）に垂直な断面形状が略Ｚ字状となるように構成されている。即ち、係合金具２２は、水平方向に平行となるように構成された上面部２２ａと、当該上面部２２ａに平行となるように構成された下面部２２ｂと、当該上面部２２ａおよび下面部２２ｂを接続する接続部２２ｃと、から構成されている。上面部２２ａと接続部２２ｃとの交差角、および、下面部２２ｂと接続部２２ｃとの交差角は、鋭角となるように構成されている。下面部２２ｂは、本発明における「延出部」に対応する実施構成の一例である。
【００２８】
上面部２２ａには、図４に示すように、ビスなどの締結部材を挿通するための複数の挿通孔２２ａ’が形成されている。係合金具２２は、上面部２２ａを座部１２の裏面に当接させた状態で、ビスなどの締結部材によって締結される。係合金具２２は、図３に示すように、座部１２の前方（図３の左側）寄り、かつ、左右方向のほぼ中央に取り付けられる。なお、係合金具２２は、図３に示すように、下面部２２ｂの先端が後方（図３における右側）を向くように取り付けられる。
【００２９】
締結金具２４は、図３および図５に示すように、鋼板などを曲げ加工することによって長手方向（図５の上下方向）に垂直な断面形状が略倒れ逆Ｌ字状となるように構成されている。即ち、締結金具２４は、水平方向に平行となるように構成された上面部２４ａと、当該上面部２４ａに鈍角をもって交差するように構成された折曲部２４ｂと、から構成されている。
【００３０】
上面部２４ａには、図５に示すように、ビスなどの締結部材を挿通するための複数の挿通孔２４ａ’が形成されている。また、折曲部２４ｂには、図５に示すように、ボルトなどの締結部材を挿通するための挿通孔２４ｂ’が形成されている。締結金具２４は、上面部２４ａを座部１２の裏面に当接させた状態で、ビスなどの締結部材によって締結される。締結金具２４は、図３に示すように、座部１２の後方（図３の右側）寄り、かつ、左右方向のほぼ中央に取り付けられる。なお、締結金具２４は、図３に示すように、折曲部２４ｂが後方（図３における右側）に配置されるように取り付けられる。係合金具２２および締結金具２４は、予め座部１２に取り付けた状態で梱包・出荷される。
【００３１】
なお、係合金具２２および締結金具２４が座部１２に締結されると、図３に示すように、側面視において係合金具２２の接続部２２ｃおよび締結金具２４の折曲部２４ｂによって「ハ」の字が構成される。当該「ハ」の字の開き角は、一対の脚部６２，６２の前脚６２ａおよび後脚６２ｂの開き角２θ（図２参照）とほぼ同じ角度を有している。
【００３２】
一対の脚部６２，６２は、それぞれ同一の構成を有している。一対の脚部６２，６２は、図２および図８に示すように、前脚６２ａと、後脚６２ｂと、前脚６２ａおよび後脚６２ｂを接続する肘掛６２ｃと、を有する逆Ｕ字状に形成されている。前脚６２ａおよび後脚６２ｂは、肘掛６２ｃから遠ざかるほど互いの間隔が広がるような傾斜角θを有している。前脚６２ａおよび後脚６２ｂの長手方向のほぼ中央部には、図２および図８に示すように、ボルトを挿通するための挿通孔６２ａ’，６２ｂ’が形成されている。
【００３３】
また、前脚６２ａおよび後脚６２ｂには、挿通孔６２ａ’，６２ｂ’よりも下方（図２および図８における下方）の位置に有底孔６２ｅ’，６２ｄ’が形成されている。当該有底孔６２ｅ’，６２ｄ’には、後述する第１および第２連結梁部４２，４４の有底孔４３ｄ，４５ｄに圧入嵌合される図示しないダボが嵌合される。
【００３４】
第１連結梁部４２は、図６に示すように、合板により成形された長尺状の梁部材として構成されており、長手方向（図６の左右方向）に垂直な断面形状が台形状に形成されている。即ち、第１連結梁部４２の一方の長辺小口面４２ｃが他方の長辺小口面４２ｄに対して傾斜する傾斜面として構成されている。当該一方の長辺小口面４２ｃの他方の長辺小口面４２ｄに対する傾斜角θは、一対の脚部６２，６２の前脚６２ａおよび後脚６２ｂの傾斜角θとほぼ同じ角度に設定されている。
【００３５】
第１連結梁部４２の長手方向（図６の左右方向）に延在する一対の主面４２ａ，４２ｂには、図６に示すように、当該一対の主面４２ａ，４２ｂを貫通するようにスリット４３ａが形成されている。スリット４３ａは、一対の主面４２ａ，４２ｂの長手方向（図６の左右方向）に細長い形状に形成されていると共に、一対の主面４２ａ，４２ｂの長手方向（図６の左右方向）の略中央部に配置されている。
【００３６】
また、スリット４３ａの開口断面積（主面４２ｂに直交する直線に沿う方向の一方側から第１連結梁部４２を見たときのスリット４３ａの断面積）は、図１０に示すように、係合金具２２の下面部２２ｂの断面積（下面部２２ｂの接続部２２ｃからの延出方向に垂直な断面における断面積）とほぼ同じ大きさとなるように構成されている。より具体的には、スリット４３ａの開口の縦横長さが、下面部２２ｂの断面の縦横長さとほぼ同じ長さとなるように構成されている。
【００３７】
なお、スリット４３ａは、図６に示すように、一方の長辺小口面４２ｃの傾斜角θと同じ傾斜角θをもって一対の主面４２ａ，４２ｂを貫通している。
【００３８】
また、第１連結梁部４２の主面４２ａの長手方向（図６の左右方向）の両端部には、図６に示すように、孔４３ｂが形成されている。さらに、第１連結梁部４２の長手方向（図６の左右方向）の両端面である短辺小口面４２ｅ，４２ｆには、それぞれ二つの有底孔４３ｃ，４３ｄが形成されている。有底孔４３ｃ，４３ｄの間隔は、前脚６２ａに形成された挿通孔６２ａ’ （図２参照）および有底孔６２ｅ’（図２参照）の間隔と同じ間隔に設定されている。ここで、有底孔４３ｄには、図示しないダボが圧入嵌合される。なお、有底孔４３ｃは、孔４３ｂに直交するように形成されている。
【００３９】
第２連結梁部４４は、図７に示すように、第１連結梁部４２のスリット４３ａが縦長孔４５ａに変更されている点を除いては、第１連結梁部４２と同一の構成をしている。具体的には、第２連結梁部４４は、合板により成形された長尺状の梁部材として構成されており、長手方向（図７の左右方向）に垂直な断面形状が台形状に形成されている。
【００４０】
即ち、第２連結梁部４４の一方の長辺小口面４４ｃが他方の長辺小口面４４ｄに対して傾斜する傾斜面として構成されている。当該一方の長辺小口面４４ｃの他方の長辺小口面４４ｄに対する傾斜角θは、一対の脚部６２，６２の前脚６２ａおよび後脚６２ｂの傾斜角θとほぼ同じ角度に設定されている。
【００４１】
また、第２連結梁部４４の長手方向（図７の左右方向）に延在する一対の主面４４ａ，４４ｂには、当該一対の主面４４ａ，４４ｂを貫通するように縦長孔４５ａが形成されている。縦長孔４５ａは、一対の主面４４ａ，４４ｂの長手方向（図７の左右方向）に直交する方向に細長い形状に形成されていると共に、一対の主面４４ａ，４４ｂの長手方向（図７の左右方向）の略中央部に配置されている。
【００４２】
さらに、第２連結梁部４４の主面４４ａの長手方向（図７の左右方向）の両端部には、図７に示すように、孔４５ｂが形成されている。さらに、第２連結梁部４４の長手方向（図７の左右方向）の両端面である短辺小口面４４ｅ，４４ｆには、それぞれ二つの有底孔４５ｃ，４５ｄが形成されている。有底孔４５ｃ，４５ｄの間隔は、前脚６２ａに形成された挿通孔６２ｂ’ （図２参照）および有底孔６２ｄ’（図２参照）の間隔と同じ間隔に設定されている。ここで、有底孔４５ｄには、図示しないダボが圧入嵌合される。なお、有底孔４５ｃは、孔４５ｂに直交するように形成されている。
【００４３】
次に、こうして構成された組立式椅子１の組み立て方法について説明する。まず、図８に示すように、第１および第２連結梁部４２，４４を用いて一対の脚部６２，６２を連結する。具体的には、第１連結梁部４２の有底孔４３ｄ，４３ｄ（図６参照）に圧入されたダボ（図示せず）を一対の脚部６２，６２の前脚６２ａ，６２ａの有底孔６２ｅ’，６２ｅ’に嵌合させると共に、第２連結梁部４４の有底孔４５ｄ（図７参照）に圧入されたダボ（図示せず）を一対の脚部６２，６２の後脚６２ｂ，６２ｂの有底孔６２ｄ’，６２ｄ’に嵌合させることによって、一対の脚部６２，６２を第１および第２連結梁部４２，４４に仮組みする。
【００４４】
即ち、第１および第２連結梁部４２，４４が、その長手方向が左右方向を向くように互いに前後方向に所定距離離れた状態で配置され、一対の脚部６２，６２が第１および第２連結梁部４２，４４を挟んで左右方向両側に配置された状態となるように仮組みする。
【００４５】
次いで、一対の脚部６２，６２の前脚６２ａ，６２ａの挿通孔６２ａ’，６２ａ’と第１連結梁部４２の有底孔４３ｃ，４３ｃ、および、後脚６２ｂ，６２ｂの挿通孔６２ｂ’，６２ｂ’と第２連結梁部４４の有底孔４５ｃ，４５ｃのそれぞれを整合させて、挿通孔６２ａ’，６４ｂ’側から挿通させた図示しないボルトによって一対の脚部６２，６２を第１および第２連結梁部４２，４４に締結する。
【００４６】
なお、本実施の形態では、一対の脚部６２，６２の第１および第２連結梁部４２，４４への締結は、第１および第２連結梁部４２，４４の孔４３ｂ，４５ｂ（図６および図７参照）にセットした図示しない円筒ナット部材にボルトをねじ込むことにより行う構成とした。
【００４７】
ここで、第１および第２連結梁部４２，４４の長辺小口面４２ｃ，４４ｃが、一対の脚部６２，６２の前脚６２ａおよび後脚６２ｂの傾斜角θとほぼ同じ傾斜角度θを有する傾斜面に構成されているため、一対の脚部６２，６２が第１および第２連結梁部４２，４４によって連結された状態において、当該長辺小口面４２ｃ，４４ｃは同一水平面内に存在している。
【００４８】
こうして一対の脚部６２，６２を第１および第２連結梁部４２，４４によって連結した後、図９に示すように、座部１２の裏面が少なくとも第１連結梁部４２の長辺小口面４２ｃに当接するように、本体部１０を一対の脚部６２，６２間に挿入する。なお、第１および第２連結梁部４２，４４の長辺小口面４２ｃ，４４ｃの両方に座部１２の裏面を当接させる構成が望ましい。
【００４９】
このとき、図９に示すように、係合金具２２が第１連結梁部４２よりも前方側（図９の前側）に配置されると共に、締結金具２４が第１および第２連結梁部４２，４４間に配置されるように設置する。
【００５０】
続いて、第１連結梁部４２上に本体部１０を載置した状態で当該本体部１０を後方（図９の後側）へ向けて移動させる。当該本体部１０の後方への移動によって、係合金具２２の下面部２２ｂが、図１０および図１１に示すように、第１連結梁部４２のスリット４３ａに係合されると共に、締結金具２４の折曲部２４ｂが、図１２に示すように、第２連結梁部４４の主面４４ｂに当接される。なお、図１１に示すように、係合金具２２の接続部２２ｃも第１連結梁部４２の主面４２ａに当接されている。このとき、図１２に示すように、折曲部２４ｂの挿通孔２４ｂ’と第２連結梁部４４の縦長孔４５ａとが整合される。
【００５１】
そして、最後に、図１２に示すように、第２連結梁部４４の縦長孔４５ａ側からボルト７２を挿通させて、締結金具２４側にセットしたナット部材７０に当該ボルト７２を捩じ込むことによって締結金具２４を第２連結梁部４４に締結する。これにより、座部１２を含む本体部１０が第２連結梁部４４に固定されて、組立式椅子１が完成する。  
【００５２】
以上、本発明の実施の形態に係る組立式椅子１によれば、本体部１０を第２連結梁部４４に固定するに際し、座部１２に固定された係合金具２２の下面部２２ｂを第１連結梁部４２のスリット４３ａに係合させて、本体部１０の左右方向（図１における左右方向）の位置決めを行うと共に、座部１２に固定された締結金具２４の折曲部２４ｂを第２連結梁部４４に当接させて、本体部１０の前後方向（図２における左右方向）の位置決めを行う構成であるため、折曲部２４ｂの挿通孔２４ｂ’と第２連結梁部４４の縦長孔４５ａとを容易に整合することができる。これにより、組立て性が向上する。なお、係合金具２２の接続部２２ｃが第１連結梁部４２の主面４２ａに当接されることによっても、本体部１０の前後方向（図２における左右方向）の位置決めが行なわれることは言うまでもない。
【００５３】
また、本発明の実施の形態に係る組立式椅子１によれば、一対の脚部６２，６２の肘掛６２ｃ，６２ｃによっても本体部１０の左右方向（図１における左右方向）の位置決めが行われる構成であるため、より位置決めを確実に行うことができる。
【００５４】
さらに、本発明の実施の形態に係る組立式椅子１によれば、本体部１０を一対の脚部６２，６２、第１連結梁部４２および第２連結梁部４４に固定するために必要なボルト７２は一本のみであるため、複数のボルトを用いて本体部１０を一対の脚部６２，６２、第１連結梁部４２および第２連結梁部４４に固定する構成に比べてボルト締結作業を低減できる。これにより、組立て性がより一層向上する。
【００５５】
実施例１の組立式椅子１では、一対の脚部６２，６２、第１連結梁部４２および第２連結梁部４４は、分解された状態で梱包・出荷され、購入者によって組み立てられる構成としたが、一対の脚部６２，６２、第１連結梁部４２および第２連結梁部４４が予め組み付けられた状態で梱包・出荷時される構成としても良い。当該構成によれば、組立て作業を低減できるため、購入者の負担をより軽減することができる。
【００５６】
実施例１の組立式椅子１では、第１連結梁部４２にスリット４３ａを設けると共に、第２連結梁部４４に縦長孔４５ａを設け、係合金具２２の下面部２２ｂを第１連結梁部４２のスリット４３ａに係合させると共に、締結金具２４の折曲部２４ｂを第２連結梁部４４に当接させる構成としたが、これに限らない。例えば、図１３に例示する変形例の組立式椅子１００に示すように、第１連結梁部１４２に縦長孔１４３ａを設けると共に、第２連結梁部１４４にスリット１４５ａを設け、係合金具１２２の下面部１２２ｂを第２連結梁部１４４のスリット１４５ａに係合させると共に、締結金具１２４の折曲部１２４ｂを第１連結梁部１４２に当接させる構成としても良い。
【００５７】
この場合、係合金具１２２は、図１３に示すように、下面部１２２ｂの先端が前方（図１３における左側）を向くように、座部１１２の後方（図１３の右側）寄り、即ち、背凭れ部１１４寄りに取付けると共に、締結金具１２４は、折曲部１２４ｂが前方（図１３における左側）に配置されるように、座部１１２の前方（図１３の左側）寄りに取付け、第２連結梁部１４４上に本体部１１０を載置した状態で当該本体部１１０を前方（図１３の前側）へ向けて移動させることにより、係合金具１２２の下面部１２２ｂを第２連結梁部１４４のスリット１４５ａに係合させると共に、締結金具１２４の折曲部１２４ｂを第１連結梁部１４２に当接させ、図１４に示すように、第１連結梁部１４２の縦長孔１４３ａ側からボルト７２を挿通させて、締結金具１２４側にセットしたナット部材７０に当該ボルト７２を捩じ込むことによって締結金具１２４を第１連結梁部１４２に締結すれば良い。
【実施例２】
【００５８】
次に、本発明の実施例２の組立式椅子２００について説明する。実施例２の組立式椅子２００は、実施例１の組立式椅子１に対して一対の脚部６２，６２を第１脚部２６２および第２脚部２６４に置き換えると共に、第１および第２連結梁部４２，４４を一対の連結梁部２４２，２４２に置き換えた点を除いて、実施例１の組立式椅子１と同様の構成をしている。したがって、実施例２の組立式椅子２００のうち実施例１の組立式椅子１の構成と同一の部分については同一の符号を付し、その詳細な説明は省略する。
【００５９】
第１脚部２６２は、図１５および図１６に示すように、板状部材として構成されている。第１脚部２６２の主面２６２ａには、図１６に示すように、左右方向（図１６の左右方向）に細長いスリット２６３ａが貫通形成されている。スリット２６３ａは、主面２６２ａの上端部寄りのほぼ中央部に形成されている。
【００６０】
第２脚部２６４は、スリット２６３ａを縦長孔２６５ａに替えた点を除いて第１脚部２６２と同一の構成をしている。縦長孔２６５ａは、図１６に示すように、第２脚部２６４の主面２６４ａの上端部寄りのほぼ中央部に形成されている。
【００６１】
一対の連結梁部２４２，２４２は、短辺小口面が角度θを有する傾斜面に形成された角材として構成されている。
【００６２】
こうして構成された実施例２の組立式椅子２００においても、まず、一対の連結梁部２４２，２４２を用いて第１および第２脚部２６２，２６４を組み付けた後、これら一対の連結梁部２４２，２４４、第１脚部２６２および第２脚部２６４上に本体部１０を載置して、当該状態で本体部１０を後方に向けて移動させることによって、係合金具２２の下面部２２ｂをスリット２６３ａに係合させると共に締結金具２４の折曲部２４ｂを第２脚部２６４に当接させることができ、本体部１０の位置決めを行うことができる。これにより、折曲部２４ｂの挿通孔２４ｂ’と第２脚部２６４の縦長孔２６５ａとを容易に整合させることができるため、組立て性を向上することができる。
【００６３】
実施例２の組立式椅子２００では、一対の連結梁部２４２，２４２を用いて第１および第２脚部２６２，２６４を連結する構成としたが、一つの連結梁部を用いて第１および第２脚部２６２，２６４を連結する構成としても良い。
【００６４】
実施例１、上述した変形例および実施例２の組立式椅子１，１００，２００では、別体のナット部材７０を用いて締結金具２４を第２連結梁部４４、第１連結梁部１４２あるいは第２脚部２６４に締結する構成としたが、締結金具２４にナット部材を一体にする構成としても良い。
【００６５】
実施例１、上述した変形例および実施例２の組立式椅子１，１００，２００では、締結金具２４が第２連結梁部４４、第１連結梁部１４２あるいは第２脚部２６４に面接触する構成としたが、本体部１０，１１０の前後方向の位置決めを行うことができれば良く、締結金具２４が第２連結梁部４４、第１連結梁部１４２あるいは第２脚部２６４に線接触する構成や点接触する構成でも良い。
【００６６】
実施例１、上述した変形例および実施例２の組立式椅子１，１００，２００では、座部１２，１１２には、係合金具２２，１２２および締結金具２４，１２４の二種類の金具を取り付ける構成としたが、座部１２，１１２には、一対の係合金具２２，１２２を取り付ける構成としても良い。この場合、第２連結梁部４４および第１連結梁部１４２には、縦長孔４５ａ，１４３ａに替えてスリット４３ａ，１４５ａを形成すると共に、一対の係合金具２２，１２２のいずれか一方の係合金具２２，１２２の下面部２２ｂ，１２２ｂにボルトなどの締結部材を挿通するための挿通孔を形成して、当該ボルトによって一方の係合金具２２，１２２を第１連結梁部４２，１４２あるいは第２連結梁部４４，１４４に締結する構成とすれば良い。
【００６７】
本実施形態は、本発明を実施するための形態の一例を示すものである。したがって、本発明は、本実施形態の構成に限定されるものではない。
【符号の説明】
【００６８】
１          組立式椅子（組立式椅子）
１０        本体部
１２        座部（座部）
１４        背凭れ部
２２        係合金具
２２ａ      上面部
２２ａ’    挿通孔
２２ｂ      下面部（延出部）
２２ｃ      接続部
２４        締結金具
２４ａ      上面部
２４ａ’    挿通孔
２４ｂ      折曲部
２４ｂ’    挿通孔
４２        第１連結梁部（連結梁部、第１連結梁部）
４２ａ      主面
４２ｂ      主面
４２ｃ      長辺小口面
４２ｄ      長辺小口面
４２ｅ      短辺小口面
４２ｆ      短辺小口面
４３ａ      スリット（凹部）
４３ｂ      有底孔
４３ｃ      有底孔
４３ｄ      有底孔
４５ｄ      有底孔
４４        第２連結梁部（連結梁部、第２連結梁部）
４４ａ      主面
４４ｂ      主面
４４ｃ      長辺小口面
４４ｄ      長辺小口面
４４ｅ      短辺小口面
４４ｆ      短辺小口面
４５ａ      縦長孔
４５ｂ      有底孔
４５ｃ      有底孔
４５ｄ      有底孔
６２        脚部（脚部）
６２ａ      前脚
６２ａ’    挿通孔
６２ｂ’    挿通孔
６２ｄ’    有底孔
６２ｅ’    有底孔
６２ｂ      後脚
６２ｃ      肘掛
７０        ナット部材
７２        ボルト
１００      組立式椅子（組立式椅子）
１１０      本体部
１１２      座部（座部）
１１４      背凭れ部
１２２      係合金具
１２２ｂ    下面部（延出部）
１２４      締結金具
１２４ｂ    折曲部
１４２      第１連結梁部（連結梁部、第１連結梁部）
１４３ａ    縦長孔
１４４      第２連結梁部（連結梁部、第２連結梁部）
１４５ａ    スリット（凹部）
２００      組立式椅子
２４２      連結梁部（連結梁部、第１連結梁部、第２連結梁部）
２６２      第１脚部（脚部）
２６２ａ    主面
２６３ａ    スリット（凹部）
２６４      第２脚部（脚部）
２６４ａ    主面
２６５ａ    縦長孔
【図１】
0006655349.tif 000002
【図２】
0006655349.tif 000003
【図３】
0006655349.tif 000004
【図４】
0006655349.tif 000005
【図５】
0006655349.tif 000006
【図６】
0006655349.tif 000007
【図７】
0006655349.tif 000008
【図８】
0006655349.tif 000009
【図９】
0006655349.tif 000010
【図１０】
0006655349.tif 000011
【図１１】
0006655349.tif 000012
【図１２】
0006655349.tif 000013
【図１３】
0006655349.tif 000014
【図１４】
0006655349.tif 000015
【図１５】
0006655349.tif 000016
【図１６】
0006655349.tif 000017